(57)【要約】【課題】  回転体への遊技球の接触や衝突、回転体部分での遊技球の停留による回転体駆動用のモータの破壊や故障が防止できるパチンコ機の回転体駆動装置を提供する。【解決手段】  盤面１上に配置され、盤面１に対してほぼ垂直に立てられた回転軸５６を中心に回転する回転体３６を駆動するパチンコ機の回転体駆動装置において、回転体３６（ハブ部３６ａ）を、回転軸５６の回転体取付位置Ｌ１に形成された回転体取付溝６１部分に径方向及び軸方向に遊びを有して挿通し、取り付けて、回転軸５６の回転時に、回転体取付溝６１の内面にハブ部３６ａが接触し、摩擦により回転力を受けて回転体３６が回転するように構成した。遊技球が回転体３６部分に噛み込まれて停留し、回転体３６が強制的に停止されても、回転軸５６は大きな負荷荷重を受けずに回転し続けるように構成した。【選択図】        図４
2005218687.tif 000002
【特許請求の範囲】
【請求項１】
遊技盤面上に配置され、この遊技盤面に対してほぼ垂直に立てられた回転軸を中心に回転する回転体を駆動するパチンコ機の回転体駆動装置において、
前記回転軸はモータによって回転自在で、この回転軸の先端部分に設定された回転体取付位置の軸回り方向には環状の回転体取付溝が形成され、
前記回転体は、そのハブ部が前記回転体取付溝部分に、径方向及び軸方向に遊びを有して挿通され、前記回転軸の回転時に、そのハブ部の、前記回転体取付溝の内面との接触摩擦により回転力が与えられて回転することを特徴とするパチンコ機の回転体駆動装置。
【発明の詳細な説明】
【技術分野】
【０００１】
本発明は、パチンコ機の遊技盤面上に配置される回転体を駆動する装置に係り、特に、回転体部分に遊技球が停留する等によって、回転体が強制的に停止された場合の保護機能を有するパチンコ機の回転体駆動装置に関するものである。
【背景技術】
【０００２】
従来から、パチンコ機の遊技盤面（以下、盤面と略称する。）上には、遊技者を楽しませるため、あるいは遊技者の注意を引くため、更には遊技球の方向を転換させるため等から、センタ役物あるいは大入賞口構成部品等と称される盤面構成部品において１〜数個の回転体を配置することがある。また、センタ役物あるいは大入賞口構成部品とは独立して上記回転体を設けることもある。
ところで従来、この種の回転体は、これを駆動するモータの回転軸や、同モータの回転数を増速又は減速するギヤ機構の出力軸に、あるいはこれらの軸に一体に連結された回転軸（以下、単に回転軸と称する。）に、一体に連結固定されている（例えば、特許文献１参照）。
【特許文献１】特開平９−７０４７３号公報
【発明の開示】
【発明が解決しようとする課題】
【０００３】
このような従来技術によれば、モータの回転力を無駄なく確実に回転体に伝達できるという利点はあるが、次のような問題点があった。
すなわち、上記回転体は盤面上に配置されているので、この盤面上を流下する遊技球が流下過程において上記回転体に頻繁に接触し、あるいは衝突する。遊技球の方向を転換させるための回転体にあっては、遊技球の接触や衝突が前提とされているのでその頻度は更に増す。
【０００４】
したがって、回転体の形状や遊技球衝突時の回転体回転角、あるいは回転体への遊技球衝突圧、更には回転体に隣接する盤面構成部品の形状等によっては、遊技球が回転体部分に噛み込まれて停留し、回転体が強制的に停止されることがある。このため、回転体の回転軸に大きな負荷荷重がかかり、モータを焼損させたり、ギヤ機構等の回転伝達機構を破損させる等の問題点を生じさせた。
また上述したように、回転体には遊技球が頻繁に接触し、あるいは衝突する。従来技術では、回転体はモータや回転伝達機構の回転軸に一体に連結固定されているため、上記接触時の負荷変動や衝突時の衝撃は直接に上記モータ等に伝わり、モータ等の故障や短寿命化の要因となる等の問題点があった。
更に従来技術では、回転体部分で遊技球が挟まりかけた場合でも、回転体は回転し続けようとして、遊技球を堅く押え込むように作用することも少なくなく、遊技球の停留が生じやすい。このため、回転体近傍に位置する入賞口への遊技球の平均入賞率に影響を与える（入賞率を低下させる）という問題点もあった。
【０００５】
本発明は、上記従来技術の問題点を解消するためになされたもので、回転体への遊技球の接触や衝突、更には回転体部分での遊技球の停留に起因する、モータや回転伝達機構の破壊あるいは故障の発生を防止し、これらモータ等の長寿命化を図ることができ、また、回転体近傍に位置する入賞口への遊技球の平均入賞率に影響を与えることのないパチンコ機の回転体駆動装置を提供することを目的とする。
【課題を解決するための手段】
【０００６】
上記目的を達成するために、特許請求の範囲の請求項１に記載の発明は、遊技盤面上に配置され、この遊技盤面に対してほぼ垂直に立てられた回転軸を中心に回転する回転体を駆動するパチンコ機の回転体駆動装置において、前記回転軸はモータによって回転自在で、この回転軸の先端部分に設定された回転体取付位置の軸回り方向には環状の回転体取付溝が形成され、前記回転体は、そのハブ部が前記回転体取付溝部分に、径方向及び軸方向に遊びを有して挿通され、前記回転軸の回転時に、そのハブ部の、前記回転体取付溝の内面との接触摩擦により回転力が与えられて回転することを特徴とする。
【発明の効果】
【０００７】
本発明によれば、回転体は、そのハブ部が回転軸の回転体取付溝部分に径方向及び軸方向に遊びを有して挿通され、回転軸の回転時に、そのハブ部の、上記回転体取付溝の内面との接触摩擦により回転力が与えられて回転する。
この構成によれば、遊技球が回転体部分に噛み込まれて停留し、回転体が強制的に停止されても、回転軸は大きな負荷荷重を受けずに回転し続け、モータを焼損させたり、ギヤ等の回転伝達機構を破損させることを防止できる。
また、回転体に遊技球が頻繁に接触、衝突しても、接触時の負荷変動や衝突時の衝撃が直接、モータやギヤ等に伝わることがなく、モータ、ギヤ等の回転伝達機構の長寿命化が図れる。
更に、回転体部分での遊技球の停留が従来技術に比べて生じ難く、したがって、回転体近傍に位置する入賞口への遊技球の平均入賞率に影響を与える（入賞率を低下させる）ことがなくなる。
【発明を実施するための最良の形態】
【０００８】
以下、本発明の実施の形態を図面に基づき説明する。なお、各図間において、同一符号は同一又は相当部分を示す。
図１は、本発明による回転体駆動装置が適用されたパチンコ機の遊技盤面の一例を示す図である。
この図において、Ｇは遊技盤である。この遊技盤Ｇの盤面（遊技盤面）１上には、次のような盤面構成部品等が設けられている。
すなわち盤面１上には、外レール２、左上風車３、ファール球防止板４、内レール５、左サイド飾り６、左下風車７、左上入賞口８、左中入賞口９、左始動入賞口１０、アウト口１１、右始動入賞口１２及び中始動入賞口１３が設けられている。
同じく盤面１上には、右中入賞口１４、右上入賞口１５、右下風車１６、右サイド飾り１７、大入賞口１８、多数の遊技釘１９（一部のみ示す）、右上風車２０及び中上入賞口２１が設けらている。
【０００９】
上記レール２，５により案内されて盤面１の上部に打ち込まれた遊技球（図示せず）は、盤面１上に配置された遊技釘１９、風車３，２０，７，１６等によって流下の方向に変化を与えられながら、各入賞口２１，１８，８，１５，９，１４，１０，１２，１３へ入賞する。入賞しなかった遊技球はアウトロ１１から遊技盤Ｇ外に排出される。
【００１０】
図示例において、上記大入賞口１８は、盤面１上のほぼ中央に配置されたセンタ飾り兼用のセンタ役物３１に設けられている。なお、本明細書では、センタ役物３１部分においても、盤面１の延長面（遊技盤Ｇの正面・裏面方向における盤面１と同一レベルの面）については盤面１と称し、後述プロペラは、盤面１上に配置された回転体であるものとする（後掲図４参照）。
【００１１】
センタ役物３１は、図２に取り出し、拡大して示すように、正面側には、上記大入賞口１８の他、天飾り３２、動画表示装置３３、左羽根３３及び右羽根３４が設けられている。同じく正面側には、上プロペラ３５、下プロペラ３６、左球経路変化部３７、右球経路変化部３８、中球経路変化部３９、その他、いくつかの装飾部等が設けられている。
このセンタ役物３１は、図示例では各々正面を向いた２機の単発飛行機４０，４１を上下に配置したデザインを有し、上プロペラ３５、下プロペラ３６は、２機の単発飛行機４０，４１の各プロペラを構成する。
これら上、下プロペラ３５，３６は、各々回転体を構成する。すなわち、盤面１上に配置され、同盤面１に対してほぼ垂直に立てられた後述回転軸を中心に回転する回転体を構成する。
【００１２】
このようなプロペラ（回転体）３５，３６を回転駆動する本発明回転体駆動装置の実施形態を図３に取り出して示す。図３（ａ）は正面図、（ｂ）は側面図である。
この図に示すように、回転体駆動装置は、ここでは演出可動体モータ（以下、モータと略称する。）５１、駆動ギヤ５２、上従動ギヤ５３、下従動ギヤ５４、上回転軸５５及び下回転軸５６を備えて構成されている。なお、駆動ギヤ５２、上従動ギヤ５３及び下従動ギヤ５４にはいずれも平歯車が用いられている。
上記モータ５１は、図２に示すセンタ役物３１の裏面側（奥側）構造部に組み込まれている。このモータ５１の軸（モータ軸）５１ａは、駆動ギヤ５２に一体に連結され、上、下従動ギヤ５３，５４は駆動ギヤ５２を上下から挟む位置で各々駆動ギヤ５２に噛合している。上回転軸５５は、上従動ギヤ５３に一体に連結され、下回転軸５６は、下従動ギヤ５４に一体に連結されている。この例では、上、下従動ギヤ５３，５４に比べて駆動ギヤ５２の方が大径に（歯数が多く）形成されているので、ギヤ５２〜５４は増速形のギヤ機構を構成している。
上、下回転軸５５，５６は、各々盤面１に対してほぼ垂直に立てられ、各プロペラ３５，３６は各回転軸５５，５６を中心に回転するように構成されている。
【００１３】
このような構成において、パチンコ機の主制御装置（図示せず）が上記モータ５１に通電すると、モータ軸５１ａが回転し、このモータ軸５１ａに連結されている駆動ギヤ５２が回転する。この駆動ギヤ５２が回転することにより、上、下従動ギヤ５３，５４が回転して上、下回転軸５５，５６が回転し、上、下プロペラ３５，３６が回転する。各部の回転方向は例えば矢印イ、ロ、ハで示す方向となる。
【００１４】
ここで、上、下プロペラ３５，３６は、回転軸５５，５６に一体に連結固定されてはなく、以下のように回転軸５５，５６から回転力が与えられ、回転する構成となっている。
この構成を、図４を参照して説明する。図４は、図３（ａ）中のＩＶ−ＩＶ線断面拡大図であり、この図に示すように、回転軸５６の先端部分に設定されたプロペラ取付位置Ｌ１の軸回り方向には、環状のプロペラ取付溝６１が形成されている。
そして下プロペラ（以下、プロペラと略称する。）３６は、その環状板状のハブ部３６ａが上記プロペラ取付溝６１部分に、径方向（図中、上下方向）及び軸方向（図中、左右方向）に各々遊びを有して挿通されている。
具体的には、上記ハブ部３６ａの軸挿通穴（中心穴）径ｄ１が回転軸５６の外径寸法Ｄ２未満であって、同回転軸５６のプロペラ取付溝６１部分（径小部５６ａ）の外径寸法ｄ２を超える寸法に形成される。加えて、ハブ部３６ａの厚みｔ１がプロペラ取付溝６１の溝幅寸法ｗ２未満（ｔ１＜ｗ２）に設定されている。
なお、図４中の６２は回転軸５６先端に固着された止め部材であり、回転軸５６のプロペラ取付位置Ｌ１における上記プロペラ取付溝６１の構成要素となっている。プロペラ３６のハブ部３６ａは、この止め部材６２を回転軸５６先端に固着する前に、プロペラ取付溝６１の底部を形成する回転軸先端部分の径小部５６ａに挿通される。その後、止め部材６２を回転軸５６先端に固着すれば、プロペラ３６はプロペラ取付溝６１部分に取り付けられる。
【００１５】
これによればプロペラ３６は、回転軸５６の回転時に、そのハブ部３６ａの、上記プロペラ取付溝６１の内面との接触摩擦により回転力が与えられ、プロペラ取付溝６１内において回転軸５６の回転方向（矢印ニ又はホ方向）に回転する。ここで、プロペラ取付溝６１の内面とは、プロペラ取付溝６１の底面（上記径小部５６ａの周面）、側壁面ないし開口端縁部分を指す。
一方、プロペラ３６は回転軸５６に一体に連結固定されず、回転軸５６とは別体となっている。しかも、プロペラ３６と回転軸５６、詳しくはハブ部３６ａとプロペラ取付溝６１部分との間には遊びを有している。
【００１６】
したがって、遊技球（図示せず）がプロペラ３６部分に噛み込まれて停留し、プロペラ３６が強制的に停止されても、回転軸５６は大きな負荷荷重を受けずに回転し続け、図３に示すモータ５１を焼損させたり、ギヤ５２，５３等の回転伝達機構を破損させることを防止できる。
また、プロペラ３６に遊技球が頻繁に接触、衝突しても、接触時の負荷変動や衝突時の衝撃が直接、上記モータ５１やギヤ５２，５３等に伝わることがなく、モータ５１、ギヤ５２，５３等の回転伝達機構を長寿命化できる。
更に、プロペラ３６部分で遊技球が挟まりかけた場合に、プロペラ３６は停止するように作用する。つまり、従来技術におけるように、プロペラ３６が遊技球を堅く押え込むように作用することはない。したがって、プロペラ３６近傍に位置する入賞口への遊技球の平均入賞率に影響を与える（入賞率を低下させる）ことが防止される。
以上の作用、効果は上プロペラ３５側についても同様に奏し得る。
なお、図３に例示するように、駆動ギヤ５２、上従動ギヤ５３及び下従動ギヤ５４等の複数のギヤを組み合わせて用いれば、それらの歯数の設定によって、モータ５１の回転数に制約されない所望の回転数でプロペラ（回転体）３５，３６を回転させることができるという効果も発揮できる。
【００１７】
なお上述実施形態では、環状のプロペラ取付溝６１を、回転軸５６の先端部分に径小部５６ａを設けることにより形成したが、これのみに限定されることはない。例えば図５に示すように、回転軸５６の後端から挿入し、回転軸５６先端に位置する止め部材６２と間隔（溝幅寸法ｗ２）を置いて位置決め固定される鍔部材７１により、上記プロペラ取付溝６１を形成するようにしてもよい。
いずれの形態においても、プロペラ取付溝６１の一方の側壁面は止め部材６２の裏面（図中、右側面）により形成されるが、図５に示す形態では、ハブ部３６ａの軸挿通穴径ｄ１が回転軸５６の外径寸法Ｄ２よりも大きく設定されており、プロペラ３６及び鍔部材７１共に回転軸５６の後端から挿入できる。したがって、図５に示す形態によれば、図４に示す形態のように、止め部材６２を回転軸５６と別体にする必要はなく、回転軸５６と一体に成形することが可能となる。また、鍔部材７１の止め部材６２との対向面側の直径Ｄ３、換言すればプロペラ取付溝６１の深さを、比較的大きく、かつ自由に設定できる。
図４及び図５においては、プロペラ取付溝６１部分におけるハブ部３６ａ（プロペラ３６）の軸方向の遊び寸法（＝ｗ２−ｔ１）を、説明の便宜上、大きく描いたが、図示寸法比のみに限定されない。
ハブ部３６ａの、プロペラ取付溝６１との接触部分に加工を施し、それら相互間の摩擦力をより大きく、あるいはより小さくなるように構成してもよい。
【図面の簡単な説明】
【００１８】
【図１】本発明による回転体駆動装置が適用されたパチンコ機の遊技盤面の一例を示す図である。
【図２】図１中のセンタ役物を取り出し、拡大して示す図である。
【図３】図１、図２中のプロペラ（回転体）及びその駆動装置部分を取り出して示す図である。
【図４】図３中の回転体駆動装置の一実施形態の要部を示す図である。
【図５】同じく他の実施形態の要部を示す図である。
【符号の説明】
【００１９】
１：盤面（遊技盤面）、３６：下プロペラ（回転体）、３６ａ：ハブ部、５６：回転軸、６１：プロペラ取付溝（回転体取付溝）、Ｌ１：プロペラ取付位置（回転体取付位置）。
【図１】
2005218687.tif 000003
【図２】
2005218687.tif 000004
【図３】
2005218687.tif 000005
【図４】
2005218687.tif 000006
【図５】
2005218687.tif 000007